(57)【要約】【課題】内外装下地部材を一体に形成した型枠パネルからなる内外装下地型枠パネルにおいて、角部又はコーナー部においても不都合なく使用できるようにすることを課題とする。【解決手段】角度をもって隣り合う壁面間の角部をコンクリートで打設形成するために用いる、型枠パネルに内外装下地部材を分離可能に一体に形成した内外装下地兼用型枠パネルにおいて、内外装下地部材は、長尺部材であって、前記角部に固定した状態において、前記角度をもって隣接する前記壁面に平行な２面からなる前面を有し、前記前面に連接する両側面は型枠パネルの所定の移動方向に沿った直線を前面との接合縁と合わせると、当該直線に対し平行もしくは外側に傾くものとし、また、型枠パネルは、前記角度をもって隣接するせき板を有し、打設面側の角部分に前記内外装下地部材の前記前面及び側面が嵌合する縦溝が形成されるものとする。【選択図】  図５
2008208630.tif 000002
【特許請求の範囲】
【請求項１】
角度をもって隣り合う壁面間の角部をコンクリートで打設形成するために用いる、型枠パネルに内外装下地部材を分離可能に一体に形成した内外装下地兼用型枠パネルであって、
前記内外装下地部材は、長尺部材であって、前記角部に固定した状態において、前記角度をもって隣接する前記壁面に平行な２面からなる前面を有し、前記前面に連接する両側面は型枠パネルの所定の移動方向に沿った直線を前面との接合縁と合わせると、当該直線に対し平行もしくは外側に傾いており、
前記型枠パネルは、前記角度をもって隣接するせき板を有し、打設面側の角部分に前記内外装下地部材の前記前面及び側面が嵌合する縦溝が形成される
内外装下地兼用型枠パネル。
【請求項２】
角度をもって隣り合う壁面間の角部をコンクリートで打設形成するために用いる、型枠パネルに内外装下地部材を分離可能に一体に形成した内外装下地兼用型枠パネルであって、
前記内外装下地部材は、長尺部材であって、前記角部に固定した状態において、前記角度をもって隣接する前記壁面に平行な２面からなる前面を有し、
前記型枠パネルは、前記角度をもって隣接するせき板を有し、打設面側の角部分に前記内外装下地部材の前記前面及び当該前面に連接する側面が嵌合する縦溝が形成されるとともに、当該縦溝の底面に当該縦溝の長手方向に沿った分割面により分割可能に形成される
内外装下地兼用型枠パネル。
【請求項３】
前記内外装下地部材は、長手方向に沿った分割面により分割可能に形成される請求項１又は２に記載の内外装下地兼用型枠パネル。
【請求項４】
角度をもって隣り合う壁面間のラウンド面で形成されるコーナー部をコンクリートで打設形成するために用いる、型枠パネルに内外装下地部材を分離可能に一体に形成した内外装下地兼用型枠パネルであって、
前記内外装下地部材は、断面四角形状の長尺部材であって１以上設けられ、前記ラウンド面の所定位置に固定した状態において、前面と連接する両側面は型枠パネルの所定の移動方向に沿った直線を前面との接合縁と合わせると、当該直線に対し平行もしくは外側に傾いており、
前記型枠パネルは、前記ラウンド面に沿ったせき板を有し、打設面側の前記所定位置に対応する位置に、前記内外装下地部材の前記前面及び側面が嵌合する縦溝が形成されると
を有する内外装下地兼用型枠パネル。
【請求項５】
角度をもって隣り合う壁面間のラウンド面で形成されるコーナー部をコンクリートで打設形成するために用いる、内外装下地部材を分離可能に一体に形成した型枠パネルである内外装下地兼用型枠パネルであって、
前記内外装下地部材は、断面四角状の長尺部材からなり一以上設けられ、
前記型枠パネルは、前記ラウンド面に沿ったせき板を有し、前記内外装下地部材の前面及び側面が嵌合する縦溝が形成されるとともに、当該縦溝のうちの少なくとも一つの底面において長手方向に沿った分割面に沿って分割可能に形成される
内外装下地兼用型枠パネル。
【請求項６】
請求項１から５のいずれか１項に記載される内外装下地部材。
【請求項７】
請求項１、２、４、５のいずれか１項に記載される型枠パネル。
【請求項８】
請求項１から５のいずれか１項に記載の内外装下地兼用型枠パネルをコンクリート打設面に固定し、コンクリートを打設してコンクリート躯体を形成するコンクリート打設工程と、
形成されたコンクリート躯体から前記内外装下地部材を残して前記型枠パネルを解体撤去する型枠パネル除去工程と
を有するコンクリート構造物の型枠工法。
【発明の詳細な説明】
【技術分野】
【０００１】
本発明は建築工事におけるコンクリート型枠工事に用いられる内外装下地部材と型枠パネル及び内外装下地部材の設置を含むコンクリートの型枠工法に関し、特に、コーナーに用いられるものに関する。
【背景技術】
【０００２】
従来のコンクリート型枠を用いた工法においては、コンクリート躯体を打設し型枠が撤去された後に、コンクリート打設面に木枠で下地材を組んで、これに内外装材類を釘打ちで止めたり、また、軽量鉄骨を組んで、これに内外装材類をタッピングビス類で止めたり、接着剤を団子状に塗って直接内外装材類を圧着したりして固定している。
また、断熱施工を施す場合には、型枠のせき板の内面に合成樹脂発泡体などからなる断熱ボードを予め釘止めした状態でコンクリートを打設し、コンクリート硬化後に合板のみを取り外して、断熱コンクリート壁を形成し、その後、やはり内外装材用の下地材を組んで内外装材類を取り付ける。
このように、コンクリート型枠工事においては、コンクリートの打設後に内外装部材類の固定作業を必要とするが、近年最も合理的な方式として、型枠を構成するせき板を内外装の下地とする工法が行われている。この工法では、発泡プラスチック断熱材と木毛板・新建材板とを貼り合わせた発泡プラスチック断熱板を、内外装材の下地材と兼用できるコンクリート型枠のせき板として使用し、コンクリート打設後に、せき板を除去せずに、その表面に内外装材仕上げが行われる。この工法ではせき板に断熱材を用いるので、断熱施工も同時に施すことができる。
【０００３】
しかしながら、この工法では型枠工事でのせき板に、変形・破壊等に十分な剛性と強度が求められるが、せき板を構成する発泡プラスチック断熱材はパネル自体の強度が弱いので厚さを大きくするか、他の複合板と貼り合わせて一体化しなければならず経済的な負担が大きくなる。また、施工に際して、型枠工事における部材搬入・労務費・運搬費・材料等の保管に関する問題も多い。これらの問題は、強度を要するせき板を内外装の下地として使用することが原因であるが、作業工程の合理下の観点からコンクリートの打設時に内外装の下地がコンクリート躯体に形成されるようにするという利点は維持することが望まれる。
このような問題に鑑みて、本願の発明者は、下記特許文献１、２に型枠パネルのせき板に断面長方形状の溝を設けるとともに、この溝に嵌る内外装下地部材を嵌合したものを内外装下地兼用型枠として提案している。この内外装下地兼用型枠は、コンクリート躯体打設後、内外装下地部材のみを残して型枠パネルを取り去るものであり、せき板の強度は縦溝と内外装下地部材により維持できるとともに、コンクリートの打設時に内外装の下地がコンクリート躯体に形成できる。
【特許文献１】特開２００６−９５７０公報
【特許文献２】特開２００６−１０４９３５公報
【発明の開示】
【発明が解決しようとする課題】
【０００４】
しかし、上記内外装下地兼用型枠パネルは、内外装下地部材が断面長方形状であるので、角度をもって隣接する壁面間の入隅部に固定すると、一方の前面に内装又は外装を固定すると、他方側の前面はこの内装又は外装に塞がれることとなるので、隣接する両壁面の内装又は外装を固定ことができない。さらに、角度をもって隣接する壁面同士がラウンド面を持つコーナーで形成される場合は、ラウンド面に長方形状の内外装下地部材を固定することはできるが、この場合内外装下地部材同士が互いに異なる角度をもって固定されるので、内外装下地部材の側面が型枠パネルの縦溝に支え、内外装下地部材をコンクリート打設面に固定したまま型枠パネルを取り外すことができない。
本発明は、このような問題に鑑みて、内外装下地部材を一体に形成した型枠パネルからなる内外装下地型枠パネルにおいて、角部又はコーナー部においても不都合なく使用できるようにすることを課題とする。
【課題を解決するための手段】
【０００５】
上記課題を解決するために、本発明は次のような構成を有する。
請求項１に記載の発明は、角度をもって隣り合う壁面間の角部をコンクリートで打設形成するために用いる、型枠パネルに内外装下地部材を分離可能に一体に形成した内外装下地兼用型枠パネルであり、内外装下地部材は、長尺部材であって、前記角部に固定した状態において、前記角度をもって隣接する前記壁面に平行な２面からなる前面を有し、前記前面に連接する両側面は型枠パネルの所定の移動方向に沿った直線を前面との接合縁と合わせると、当該直線に対し平行もしくは外側に傾いている。また、型枠パネルは、前記角度をもって隣接するせき板を有し、打設面側の角部分に前記内外装下地部材の前記前面及び側面が嵌合する縦溝が形成される。なお、本願において「所定の移動方向」とはコンクリート躯体を内外装下地兼用型枠パネルで打設した後に、想定される型枠パネルを取り外す方向を意味し、「当該直線に対し外側に傾く」とは、側面が、当該直線よりも内外装下地部材の中心から離れる方向に沿うように形成されることを意味する。
請求項２に記載の発明は、角度をもって隣り合う壁面間の角部をコンクリートで打設形成するために用いる、型枠パネルに内外装下地部材を分離可能に一体に形成した内外装下地兼用型枠パネルであり、内外装下地部材は、長尺部材であって、前記角部に固定した状態において、前記角度をもって隣接する前記壁面に平行な２面からなる前面を有する。また、型枠パネルは、前記角度をもって隣接するせき板を有し、打設面側の角部分に、前記内外装下地部材の前記前面及び当該前面に連接する側面が嵌合する縦溝が形成されるとともに、当該縦溝の底面に当該縦溝の長手方向に沿った分割面により分割可能に形成される。
請求項３に記載の発明は、前記内外装下地兼用型枠パネルにおいて、前記内外装下地部材は、長手方向に沿った分割面により分割可能に形成されるものである。
【０００６】
請求項４に記載の発明は、角度をもって隣り合う壁面間のラウンド面で形成されるコーナー部をコンクリートで打設形成するために用いる、型枠パネルに内外装下地部材を分離可能に一体に形成した内外装下地兼用型枠パネルであり、内外装下地部材は断面四角形状の長尺部材であって１以上設けられ、前記ラウンド面の所定位置に固定した状態において、前面の両縁と連接する側面は型枠パネルの所定の移動方向に沿った直線を前面との接合縁と合わせると、当該直線に対し平行もしくは外側に傾いている。また、型枠パネルは、前記ラウンド面に沿ったせき板を有し、打設面側の前記所定位置に対応する位置に、前記内外装下地部材の前記前面及び側面が嵌合する縦溝が形成される。
請求項５に記載の発明は、角度をもって隣り合う壁面間のラウンド面で形成されるコーナー部をコンクリートで打設形成するために用いる、型枠パネルに内外装下地部材を分離可能に一体に形成した内外装下地兼用型枠パネルであって、内外装下地部材は断面台形状の長尺部材からなり、一以上設けられ、型枠パネルは、前記ラウンド面に沿ったせき板を有し、前記内外装下地部材の前面及び側面が嵌合する縦溝が形成されるとともに、当該縦溝の底面の少なくとも１つにおいて長手方向に沿った分割面に沿って分割可能に形成されるものである。
【０００７】
請求項６に記載の発明は、請求項１から５のいずれか１項に記載される内外装下地部材である。
請求項７に記載の発明は、請求項１、２、４、５のいずれか１項に記載される型枠パネルである。
請求項８に記載の発明は、前記内外装下地兼用型枠パネルをコンクリート打設面に固定し、コンクリートを打設してコンクリート躯体を形成するコンクリート打設工程と、形成されたコンクリート躯体から前記内外装下地部材を残して前記型枠パネルを解体撤去する型枠パネル除去工程とを有するコンクリート構造物の型枠工法である。
【発明の効果】
【０００８】
請求項１に記載の発明は、内外装下地部材の前面が角度を持って隣接する壁面のそれぞれに平行に２面形成されるので、内外装材を干渉することなくそれぞれの面に固定することができ、また、内外装下地部材の側面が、型枠パネルの所定の移動方向に移動した際に、移動方向に邪魔にならないように移動方向に対して平行か、移動方向に対して前面から外側に傾くように形成されているので、型枠パネルから内外装下地部材をコンクリート躯体に固定したままスムーズに取り去ることができる。
請求項２に記載の発明は、やはり、内外装下地部材の前面が角度を持って隣接する壁面のそれぞれに平行に2面形成されるので、内外装材を干渉することなくそれぞれの面に固定することができ、また、型枠パネルが分離できるので、内外装下地部材の側面が邪魔にならないように分割することでスムーズに型枠パネルを取り去ることができるとともに、型枠パネルの収納運搬に際してコンパクトにたたむことができる。
請求項３に記載の発明は、内外装下地部材を長手方向に沿った分割面により分割可能に形成することで、収納運搬に資するとともに、断面長方形状の汎用の部材を加工することによって上記内外装下地部材を形成することができる。
【０００９】
請求項４に記載の発明は、ラウンド面で形成されるコーナー部において、内外装下地部材の側面が、型枠パネルの所定の移動方向に移動した際に、移動方向に邪魔にならないように移動方向に対して平行か、移動方向に対して前面から外側に傾くように形成されているので、型枠パネルから内外装下地部材をコンクリート躯体に固定したままスムーズに取り去ることができる。
請求項５に記載の発明は、ラウンド面で形成されるコーナー部において、内外装下地部材の側面が邪魔にならないように分割することでスムーズに型枠パネルを取り去ることができるとともに、型枠パネルの収納運搬に際してコンパクトにたたむことができる。
【００１０】
請求項６に記載に係る内外装下地部材を用いることで、請求項１から５に記載された内外装下地兼用型枠パネルを実現することができる。
請求項７に記載に係る型枠パネルを用いることで、請求項１、２、４、５に記載された内外層下地兼用型枠パネルを実現することができる。
請求項８に記載の発明は、請求項１から５に記載の内外装下地兼用型枠パネルを用いることで、コンクリート躯体の角部もしくはラウンド面の型枠工法において、コンクリート躯体の形成と内外装下地部材の固定が同時に行えるので、作業効率がよく、また、内外装下地兼用型枠パネルは縦溝及びこれに嵌合する内外装下地部材により縦方向の剛性は十分に強いので縦端太材を設ける必要が無く、これの設置、組み立て、解体、撤去等の作業を行う必要がなくなるので、これによっても作業効率を高めることができる。
【発明を実施するための最良の形態】
【００１１】
以下、本発明の実施の形態について、図面を参照しながら説明する。
（実施形態１）
図１（ａ）（ｂ）に実施形態１に係る内外装下地兼型枠パネルＸを構成する内外装下地部材２０のそれそれ異なる方向から見た一部拡大斜視図を示す。内外装下地部材２０は、合成樹脂により形成される長尺部材であって、断面形状が中空のＬ字状に形成される。言い換えると、この断面形状は一つの角が２７０度で残りの角が９０度の６角形状に形成される。そして、この２７０度の角を挟む２面が内外装を取り付ける前面２１を形成し、この前面に平行な２面が背面２２を形成し、前面２１及び背面２２の両縁に連接する面が側面２３を形成する。この内外装下地部材２０は、９０度に形成される入隅部に用いられるものであり、背面２２を入隅部にあわせると前面は入隅部に隣接する２面のコンクリート壁面に平行となる。なお、入隅部の角度が変われば、内外装下地部材２０の断面形状は適宜変更すればよく、この際、原則として前面はコンクリート壁面と平行になるように形成される。内外装下地部材２０の前面２１、２１には、ネジ穴２１ａが長手方向に等間隔で設けられている。また、前面２１、２１の一方の面には、フォームタイの基端が通ることができる孔であるフォームタイ用貫通孔２１ｂが、やはり長手方向に等間隔に設けられている。そして、背面２２、２２のフォームタイ用貫通孔２１ｂに相対する位置には、セパレーターを通すことができる孔であるセパレーター用貫通孔２２ａが設けられている。また、側面２３のこのセパレーター用貫通孔２２ａと同じ高さの位置には、セパレーター用貫通孔２２ａ部分に工具を入れて作業をするために側面貫通孔２３ａが設けられている。さらに、背面２２側には、背面２２に直交するように背面方向に突出する短冊板状のアンカー部２２ｂが長手方向に等間隔に設けられている。
【００１２】
図２に内外装下地兼型枠パネルＸを構成する型枠パネル１０の一部拡大斜視図を示す。型枠パネル１０は、合成樹脂性の直角に屈曲したせき板１１により構成される。せき板１１の両端面には直角に立ち上がった、外枠１３が一体に形成される。この型枠パネル１０は入隅部用なので、外角に隣接する面が打設面となる。また、せき板１１の屈曲している角部分の打設面側には、内外装下地部材２０の前面２１及び側面２３が嵌合できる縦溝１２が形成されている。縦溝の底面の、内外装下地部材２０を嵌合させた際に前記ねじ穴２１ａと相対する面にはネジが貫通するネジ止め用貫通孔１２ａが形成され、また、フォームタイ用貫通孔２１ｂと相対する面にはフォームタイの基端部が通る孔である第２フォームタイ用貫通孔１２ｂが形成されている。
【００１３】
次に、以上のような構成を有する型枠パネル１０及び内外装下地部材２０とからなる内外装下地兼用型枠パネルＸを用いたコンクリート構造物の型枠工法について説明する。まず、内外装下地部材２０を型枠パネル１０の縦溝に嵌合させ、型枠パネル１０のネジ止め用貫通孔１２ａからボルトなどを通して内外装下地部材２０のネジ穴２１ａに係合させ、型枠パネル１０と内外装下地部材２０とを一体に固定し、内外装下地兼型枠パネルＸを形成する。この作業は、通常は現場ではなく、工場等で行っておき現場に搬入する。次に、この内外装下地兼型枠パネルＸを建て込み支保工で固定して、コンクリートを打設する。図３に内外装下地兼型枠パネルＸを建て込んでコンクリートを打設した状態を示す一部拡大斜視図を示し、図４にこの状態の平面図を示す。なお、内外装下地兼型枠パネルＸの以外の型枠パネルは、ここでは、説明の便宜上一般的な型枠パネルを使用しているが、平らな面には特開２００６−９５７０公報に示す内外装下地兼型枠パネルを用い、出隅部には後述する内外装下地兼型枠パネルＹを用いるのが好適である。図４に示すように、コンクリートを打設する前に建て込んだ内外装下地兼型枠パネルＸはセパレーター用貫通孔１１ａ及びセパレーター用貫通孔１２ｂを介してセパレーターＳを取り付け、セパレーターＳに適宜フォームタイＦを取り付けるとととに、横端太材Ｈを所定の間隔設けた支保工で固定する。
コンクリート打設後、コンクリートを養生、硬化させたのち支保工を取り外す。この状態で、内外装下地部材２０はセパレーターＳ及びアンカー部２２ｂによりコンクリート躯体に固定される。次に、型枠パネル１０と内外装下地部材２０とを固定しているボルト等を取り外し、内外装下地部材２０をコンクリート躯体に残したまま型枠パネル１０を取り外す。その後、内外装下地部材２０に内外装をネジ穴２１ａ等を利用して固定し仕上げ工事を行う。
【００１４】
ところで、図５の平面図に示すように型枠パネル１０を内外装下地部材２０から取り外す際には、型枠パネル１０を取り外す方向（移動方向Ａ）に型枠パネル１０を移動させた際に内外装下地部材２０の側面２３が支えないことが必要である。本実施形態に係る内外装下地部材２０の側面２３は、図５に示すように移動方向Ａを両壁面の２等分線方向とし、この移動方向に沿った直線に対して前面との境を基準に外側に角度αだけ傾いているので、型枠パネル１０を容易に抜くことができる。側面２３はこの角度αが０度以上あれば型枠パネル１０を取り外すことができる。また、移動方向Ａは適宜変更することができ、側面２３の角度の範囲もこれに応じて変わることとなる。
【００１５】
次に、内外装下地兼用型枠パネルＸを用いた他のコンクリート構造物の型枠工法について説明する。なお、ここで用いる内外装下地部材２０にはアンカー部２２ｂは形成されていないものとする。まず、内外装下地部材２０と型枠パネル１０とを結合して内外装下地兼用型枠パネルＸを形成する。次に、この内外装下地兼用型枠パネルを躯体の形状に建て込むのであるが、この際、図６に示すように断熱板Ｄを型枠パネル１０の打設面側に挟みこむ。その後、セパレーターＳ、フォームタイＦ、横端太材Ｈなどを設置し支保工により固定してコンクリートを打設し、養生硬化させる。その後、断熱板Ｄと内外装下地部材２０とをコンクリート躯体に残して、やはり内外装下地部材２０に内外装材を固定して仕上げ工事を行う。なお、内外装下地部材２０と断熱板DとはセパレーターSにより固定されているので、セパレーターSと内外装下地部材２０とを固定しているナットを緩めて、内外装下地部材２０と断熱板Dとの間パッキン類等の介在物を挿入することで不陸を調整することができる。この際内外装下地部材２０の側面に側面貫通孔２３ａが設けられているので、この穴からスパナなどの工具を用いて容易に調整作業を行うことができる。
【００１６】
なお、本実施形態における型枠パネル１０は、図７（ａ）の状態から、施工現場において図７（ｂ）に示すように切断して別途外枠を構成する板体１３ａを切断縁に固定して間隔の調整を行った後に使用することができる。これは以下に示す他の実施形態における型枠パネルにおいても同様である。
さらに、内外装下地部材２０は、図８（ａ）の分解一部斜視図に示すように、２つの断面長方形状の部材２０Ａ、２０Ｂにより構成するようにしてもよい。２０Ａ及び２０Ｂを合わせることで、図８（ｂ）に示すように、上述した内外装下地部材１０と同じ形状を実現できる。この際、接合面１０ｄは分割面を形成する。２０Ａ、２０Ｂは型枠パネル１０に固定され、また、コンクリート躯体に固定されるので、両者を互いに固定する必要はない。
また、上記実施形態においては、工場等で予め内外装下地部材２０と型枠パネル１０とを一体にしたが、現場において、セパレーターSを用いて内外装下地部材２０を予め設置しておき、この内外装下地部材２０に型枠パネル１０を取り付けるようにしてもよい。この際、内外装下地部材２０の側面に設けられる側面貫通孔２３によりセパレーターSと内外装下地部材２０との取り付け効率を上げることができる。
【００１７】
（実施形態２）
図９（ａ）（ｂ）に実施形態２に係る内外装下地兼型枠パネルＹを構成する内外装下地部材４０のそれぞれ異なる方向から見た一部拡大斜視図を示す。内外装下地部材４０は、合成樹脂により形成される長尺部材であって、断面形状がＬ字状に形成される。言い換えると、この断面形状は一つの角が２７０度で残りの角が９０度の６角形状に形成される。そして、この２７０度の角に対向する角を挟む２面が内外装を取り付ける前面４１、４１を形成し、この前面４１に平行な２面が背面４２、４２を形成し、前面４１及び背面４２の両縁に連接する面が側面４３、４３を形成する。この内外装下地部材４０は、９０度に形成される出隅部に用いられるものであり、背面４２を出隅部にあわせると前面４１は出隅部に隣接する２面のコンクリート壁面に平行となる。なお、出隅部の角度が変われば、やはり内外装下地部材４０の断面形状は適宜変更すればよく、この際、原則として前面４１はコンクリート壁面と平行になるように形成される。内外装下地部材４０の前面４１、４１には、ネジ穴４１ａが長手方向に等間隔で設けられている。また、背面４２側には、背面４２に直交するように背面方向に突出する短冊板状のアンカー部４２ｂが長手方向に等間隔に設けられている。
【００１８】
図１０に実施形態２に係る内外装下地兼型枠パネルＹを構成する型枠パネル３０の分解一部拡大斜視図を示す。型枠パネル３０は、合成樹脂性の直角に屈曲したせき板３１を、屈曲部を分割面３２Ｘとして分割したものである。この型枠パネル３０は出隅部用なので、内角に隣接する面が打設面となる。また、せき板３１、３１の屈曲している分割面を構成する角部分の打設面側には、結合状態において内外装下地部材４０の前面４１及び側面４３が嵌合できる縦溝３２が形成される。縦溝３２の底面の、内外装下地部材４０を嵌合させた際に前記ねじ穴４１ａと相対する面にはネジが貫通するネジ止め用貫通孔３２ａが形成される。また、せき板３１の縦溝３２以外の面には、長手方向に、セパレーターを通すことができる孔であるセパレーター用貫通孔３１ａが形成されている。また、分割されたせき板３１の両端面には直角に立ち上がった外枠３３が一体に形成されている。
【００１９】
次に、以上のような構成を有する型枠パネル３０及び内外装下地部材４０とからなる内外装下地兼用型枠パネルＹを用いたコンクリート構造物の型枠工法について説明する。まず、内外装下地部材４０を型枠パネル３０の縦溝に嵌合させ、型枠パネル３０のネジ止め用貫通孔３２ａからボルトなどを通して内外装下地部材４０のネジ穴４１ａに係合させ、型枠パネル３０と内外装下地部材４０とを一体に固定し、内外装下地兼型枠パネルＹを形成する。この作業は、やはり通常は現場ではなく、工場等で行っておき現場に搬入する。次に、この内外装下地兼型枠パネルＹを建て込み支保工で固定し、コンクリートを打設する。図１１に内外装下地兼型枠パネルＹを建て込んでコンクリートを打設した状態を示す一部拡大斜視図を示し、図１２にこの状態の平面図を示す。なお、やはり内外装下地兼型枠パネルＹの以外の型枠パネルは、ここでは、説明の便宜上一般的な型枠パネルを使用しているが、平らな面には特開２００６−９５７０公報に示す内外装下地兼型枠パネルを用い、入隅部には前述した内外装下地兼型枠パネルＸを用いるのが好適である。図１２に示すように、コンクリートを打設するまえに建て込んだ内外装下地兼型枠パネルＹはセパレーター用貫通孔３１ａを介してセパレーターＳを取り付け、セパレーターＳに適宜フォームタイＦを取り付けるとととに、横端太材Ｈを所定の間隔設けた支保工で固定しておく。
【００２０】
コンクリート打設後、コンクリートを養生、硬化させたのち支保工を取り外す。この状態で、内外装下地部材４０はアンカー部４２ｂによりコンクリート躯体に固定される。次に、型枠パネル３０と内外装下地部材４０とを固定しているボルト等を取り外し、内外装下地部材４０をコンクリート躯体に残したまま型枠パネル３０を取り外す。その後、内外装下地部材４０に内外装をネジ穴４１ａ等を利用して固定し仕上げ工事を行う。
型枠パネル３０を内外装下地部材３０から取り外す際には、型枠パネル３０が分割できるので、内外装下地部材３０の側面３３に引っ掛かることなく型枠パネル３０を取り外すことができる。なお、ここでは、型枠パネル３０を分割するようにしているが、内外装下地部材３０の側面３３を図１３に示すように、型枠パネル３０の移動方向に一致させるか、移動方向に対して内側に傾けることで分割することなく型枠パネル３０を取り外すようにすることもできる。
また、本実施形態に係る内外装下地兼用型枠パネルＹも実施形態１に係る内外装下地兼用型枠パネルＸと同様に、コンクリート構造物の型枠工法として断熱板Ｄを挟むようにしてもよい。
また、内外装下地部材４０に関して、実施形態１に係る内外装下地部材２０のように、長手方向に形成される分断面により分割可能に形成してもよい。
【００２１】
（実施形態３）
図１４に実施形態３に係る内外装下地兼用型枠パネルＺの平面図を示す。内外装下地兼用型枠パネルＺは内側のラウンド面に用いられるものであり、ラウンド面に沿ったせき板５１からなる型枠パネル５０と、型枠パネル５０に形成される縦溝５２に嵌合する複数の内外装下地部材６０とから構成される。
型枠パネル５０は合成樹脂により形成され、両端面には直角に立ち上がった、外枠５３が一体に形成される。また、縦溝５２の底面には、ネジが貫通する図示しないネジ止め用貫通孔５２ａが長手方向に等間隔に設けられている。
図１５（ａ）（ｂ）に内外装下地部材Ｚを構成する一つの内外装下地部材６０のそれぞれ異なる方向から見た一部拡大斜視図を示す。内外装下地部材６０は、断面台形状であって、平行な２面のうち面積の小さい方が前面６１を構成し、面積の大きいほうが背面６２を構成する。前面６１及び背面６２の両縁を連結する側面６３、６３はコーナー面のどの位置に設置されるかにより前面６１に対する角度が異なるが、上述した実施形態１及び２と同様に型枠パネル５０を取り外す方向（移動方向Ａ）に対して内側になるように形成される。また、内外装下地部材６０の背面中央には、背面方向に突出する短冊板状のアンカー部６２ｂが長手方向に等間隔に設けられている。また、前面には、型枠パネル５０の縦溝５２の底面に設けられたネジ止め用貫通孔５２ａに相対する位置にネジ穴６１ａが設けられている。
【００２２】
以上のような構成を有する内外装下地兼用型枠パネルＺを用いたコンクリート構造物の型枠工法は、実施形態１、２に係る型枠工法とほぼ同様であり、内外装下地部材６０を型枠パネル５０の縦溝５２に係合させた後に、ボルト等で固定して内外装下地兼用型枠パネルを形成し、その後、内外装下地兼用型枠パネルＺを建て込み、支保工で固定して、コンクリートを打設する。そして、コンクリートの養生・硬化の後、内外装下地部材６０と型枠パネル６０とを固定しているボルト等を取り外し、内外装下地部材６０をコンクリート躯体に固定したまま、型枠パネル５０のみを取り外す。その後、内外装下地部材６０にネジ穴６１ａ等を利用して内外装を固定していく。この方法においても、断熱パネルＤをせき板とコンクリート躯体の間に挟むようにしてもよい。
【００２３】
（実施形態４）
図１３に実施形態４に係る内外装下地兼用型枠パネルＶの平面図を示す。内外装下地兼用型枠パネルＶは外側のラウンド面に用いられるものであり、ラウンド面に沿ったせき板７１からなる型枠パネル７０と、型枠パネル７０に形成される縦溝７２に嵌合する複数の内外装下地部材８０とから構成される。
型枠パネル７０は合成樹脂により形成され、両端面には直角に立ち上がった、外枠７３が一体に形成される。また、縦溝７２の底面には、ネジが貫通する図示しないネジ止め用貫通孔７２ａが長手方向に等間隔に設けられている。そして、型枠パネル７０を構成するせき板７１は、中央の縦溝７２の底面に長手方向に形成される分割面７２ｄにより分割可能に形成されている。
内外装下地部材８０は実施形態３に係る内外装下地部材６０とほぼ同じ構成であり、断面台形状であって、平行な２面のうち面積の小さい方が前面８１を構成し、面積の大きいほうが背面８２を構成する。また、内外装下地部材８０の背面中央には、背面方向に突出する短冊板状の図示しないアンカー部８２ｂが長手方向に等間隔に設けられている。また、前面には、型枠パネル７０の縦溝７２の底面に設けられたネジ止め用貫通孔７２ａに相対する位置に図示しないネジ穴８１ａが設けられている。
【００２４】
以上のような構成を有する内外装下地兼用型枠パネルＶを用いたコンクリート構造物の型枠工法は、実施形態１、２、３に係る型枠工法とほぼ同様であり、内外装下地部材８０を型枠パネル７０の縦溝７２に係合させた後に、ボルト等で固定して内外装下地兼用型枠パネルＶを形成し、その後、内外装下地兼用型枠パネルＶを建て込み、支保工で固定して、コンクリートを打設する。そして、コンクリートの養生・硬化の後、内外装下地部材７０と型枠パネル８０とを固定しているボルト等を取り外し、内外装下地部材８０をコンクリート躯体に固定したまま、型枠パネル７０のみを取り外す。その後、内外装下地部材８０にネジ穴８１ａ等を利用して内外装を固定していく。なお、ここでも断熱材をせき板とコンクリート躯体に挟むようにしてもよい。
【００２５】
なお上記各実施形態における内外装下地部材や型枠パネルの材質は、強度、剛性が目的に合うものであれば、木製、金属製等種々の材質を採用することができる。さらに、内外装下地部材は、中空である必要はなく、ネジ穴を設けずに釘打ちあるいはビス止めで型枠パネルと固定するようにしてもよい。
また、実施形態２、３、４の内外装下地部材４０、６０、８０の内部には、セパレーターを設けるようにしていないが、これは、セパレーターを固定できるようにしてもよく、この際実施形態にに係る内外装下地部材４０は前面４１及び背面４２の長さをコンクリート躯体の内壁面に相対する程度まで延長する必要がある。
【図面の簡単な説明】
【００２６】
【図１】（ａ）は実施形態１に係る内外装下地部材を正面側から見た部分斜視図であり、（ｂ）は実施形態１に係る内外装下地部材を背面側から見た部分斜視図である。
【図２】実施形態１に係る型枠パネルを背面側から見た部分斜視図である。
【図３】実施形態１に係る内外装下地兼用型枠パネルの使用状態を示す部分斜視図である。
【図４】実施形態１に係る内外装下地兼用型枠パネルの使用状態を示す部分平面図である。
【図５】実施形態１に係る内外装下地部材の側面の角度を示す内外装下地兼用型枠パネルの部分平面図である。
【００２７】
【図６】実施形態１に係る内外装下地兼用型枠パネルの他の使用状態を示す部分平面図である。
【図７】（ａ）は実施形態１に係る型枠パネルの平面図であり、（ｂ）は（ａ）の状態からせき板部分を縮めた状態を示す平面図である。
【図８】（ａ）は長手方向に分断可能に形成した実施形態１に係る内外装下地部材の分解部分斜視図であり、（ｂ）は長手方向に分断可能に形成した実施形態１に係る内外装下地部材の部分斜視図である。
【図９】（ａ）は実施形態２に係る内外装下地部材を正面側から見た部分斜視図であり、（ｂ）は実施形態２に係る内外装下地部材を背面側から見た部分斜視図である。
【図１０】実施形態２に係る型枠パネルを正面側から見た分解部分斜視図である。
【００２８】
【図１１】実施形態２に係る内外装下地兼用型枠パネルの使用状態を示す部分斜視図である。
【図１２】実施形態２に係る内外装下地兼用型枠パネルの使用状態を示す部分平面図である。
【図１３】実施形態２に係る内外装下地兼用型枠パネルの内外装下地部材の側面の傾きを変形した例を示す平面図である。
【図１４】実施形態３に係る内外装下地兼用型枠パネルを示す平面図である。
【図１５】（ａ）は実施形態３に係る内外装下地部材を正面側から見た部分斜視図であり、（ｂ）は実施形態３に係る内外装下地部材を背面側から見た部分斜視図である。
【図１６】実施形態４に係る内外装下地兼用型枠パネルを示す平面図である。
【符号の説明】
【００２９】
Ｘ、Ｙ、Ｚ、Ｖ    内外装下地兼用型枠パネル
１０、３０、５０、７０  型枠パネル
２０、４０、６０、８０  内外装下地部材
２１、４１、６１、８１  前面
２３、４３、６３、８３  側面
１１、３１、５１、７１  縦溝
【図１】
2008208630.tif 000003
【図２】
2008208630.tif 000004
【図３】
2008208630.tif 000005
【図４】
2008208630.tif 000006
【図５】
2008208630.tif 000007
【図６】
2008208630.tif 000008
【図７】
2008208630.tif 000009
【図８】
2008208630.tif 000010
【図９】
2008208630.tif 000011
【図１０】
2008208630.tif 000012
【図１１】
2008208630.tif 000013
【図１２】
2008208630.tif 000014
【図１３】
2008208630.tif 000015
【図１４】
2008208630.tif 000016
【図１５】
2008208630.tif 000017
【図１６】
2008208630.tif 000018